(57)【要約】【課題】  展開型の使い捨ておむつであって、ファスニングテープの操作により、胴回り周長を簡単に増減可能で、例えばおむつの装着状態を維持しつつ、おむつをずり下げて排尿排便可能である使い捨ておむつを提供すること。【解決手段】  股下部の前後に延在する両端部の一方にファスニングテープ５、他方にランディングゾーンを有する使い捨ておむつ１において、ファスニングテープ５は、ランディングゾーン６に止着される第１止着部５１と、該ファスニングテープ５又はランディングゾーン６に止着される第２止着部５２とを有しており、第１止着部５１を止着した状態下に、第２止着部５２を脱着することにより、胴回り周長を増減可能になされている。【選択図】    図１
2005253487.tif 000002
【特許請求の範囲】
【請求項１】
ファスニングテープ及び該ファスニングテープを止着するランディングゾーンを有する使い捨ておむつにおいて、
前記ファスニングテープは、前記ランディングゾーンに止着される第１止着部と、該ファスニングテープ又は前記ランディングゾーンに止着される第２止着部とを有しており、
第１止着部を止着した状態下に、第２止着部を脱着することにより、胴回り周長を増減可能になされている使い捨ておむつ。
【請求項２】
第１止着部は、テープ基材の長手方向の一端部近傍に設けられ、第２止着部は、前記テープ基材における、第１止着部が設けられた部位よりも他端部側に設けられており、
前記使い捨ておむつの使用前における前記ファスニングテープは、第１止着部よりも第２止着部の方がテープ固定端からの距離が遠くなるように折り畳まれて、その状態が仮止め手段によって維持されている請求項１記載の使い捨ておむつ。
【請求項３】
第１止着部は、テープ基材の長手方向の一端部近傍に設けられ、第２止着部は、前記テープ基材における、第１止着部が設けられた部位よりも他端部側に設けられており、前記ファスニングテープは、前記テープ基材における、第１止着部が設けられた面とは反対側の面に、第２止着部を脱着自在に止着可能な被止着部を有しており、前記使い捨ておむつの使用前における前記ファスニングテープは、折り畳まれて、第２止着部が被止着部に止着されている請求項１記載の使い捨ておむつ。
【請求項４】
成人用の使い捨ておむつである請求項１〜３の何れか記載の使い捨ておむつ。
【発明の詳細な説明】
【技術分野】
【０００１】
本発明は、使い捨ておむつに関する。
【背景技術】
【０００２】
従来、使い捨ておむつとして、いわゆる展開型のおむつと、予めパンツ型に形成されており、下着としてのパンツと同様に着脱可能なパンツ型のおむつが知られている。
【０００３】
展開型のおむつは、一般に、ファスニングテープや及び該ファスニングテープを止着するランディングゾーンを具備し、ファスニングテープをランディングゾーンに止着することにより着用者に装着固定して用いられる。
また、特許文献１には、背側部の両側部に背側結合部を有すると共に腹側部の両側部に内側結合部を有し、前記内側結合部それぞれが、外側結合部と、その内側に位置する内側結合部とから構成されており、背側結合部を、外側結合部又は内側結合部に選択的に結合できるようにしたおむつが記載されている。
また、特許文献２には、前部及び後部ウエスト領域の何れか一方のウエスト領域の両側部に第１ファスナーを有すると共に、該一方のウエスト領域の幅方向に沿って配されたベルト部分の先端部に第２ファスナーを有し、第１ファスナーを他方のウエスト領域に重ねるようにして止着し、その止着した部分を、前記ベルト部分で押さえるようにして第２ファスナーを止着するようにした使い捨ておむつが記載されている。
【０００４】
ところで、老人ホーム等の介護施設や病院においては、多量のおむつが消費されているが、おむつ着用者のなかには、トイレに行き、自らおむつを外して排尿及び／又は排便できる人もいる。このような人を増やすこと、あるいは減らさないことは、おむつ消費量の抑制や、身体能力の低下防止、自立意識の向上を図る観点等からも好ましい。
【０００５】
【特許文献１】特開２００３−７０８３３号公報
【特許文献２】特表２００２−５１８０９５号公報
【発明の開示】
【発明が解決しようとする課題】
【０００６】
しかし、従来の展開型のおむつは、ファスニングテープを一旦外してしまうと、寝た状態以外では、再度の装着が困難であり、特に、おむつ着用者自身が、排尿及び／又は排便する際に、自らおむつを着脱することは実際上極めて困難である。特許文献１に記載のおむつにおいても同様である。
他方、パンツ型のおむつは、着用者自身が比較的容易に上げ下ろし可能であるが、その反面、展開型のおむつに比べて製造コストが高いという欠点がある。また、寝た状態での着脱も困難である。
特許文献２記載のおむつも構造が複雑であり、簡易な設備で安価に製造することができない。
【０００７】
従って、本発明の目的は、展開型の使い捨ておむつであって、ファスニングテープの操作により、胴回り周長を簡単に増減可能で、例えばおむつの装着状態を維持しつつ、おむつをずり下げて排尿及び／又は排便可能である使い捨ておむつを提供することにある。
【課題を解決するための手段】
【０００８】
本発明は、ファスニングテープ及び該ファスニングテープを止着するランディングゾーンを有する使い捨ておむつにおいて、前記ファスニングテープは、前記ランディングゾーンに止着される第１止着部と、該ファスニングテープ又は前記ランディングゾーンに止着される第２止着部とを有しており、第１止着部を止着した状態下に、第２止着部を脱着することにより、胴回り周長を増減可能になされている使い捨ておむつを提供することにより前記目的を達成したものである。
【発明の効果】
【０００９】
本発明の使い捨ておむつは、展開型の使い捨ておむつであって、ファスニングテープの操作により、胴回り周長を簡単に増減可能で、例えばおむつの装着状態を維持しつつ、おむつをずり下げて排尿及び／又は排便可能である。
【発明を実施するための最良の形態】
【００１０】
以下、本発明を、その好ましい一実施形態に基づいて詳細に説明する。
本発明の第１実施形態としての使い捨ておむつ１は、図１に示すように、液透過性の表面シート２、液不透過性の裏面シート３、及び両シート間に介在された液保持性の吸収体４を備えている。
使い捨ておむつ１は、いわゆる展開型のおむつであり、その長手方向の中央部に股下部Ａを有し、該股下部Ａの前後に延在する両部位のうちの一方の部位である背側部Ｂの両側縁部にファスニングテープ５を有し、他方の部位である腹側部Ｃの非肌対向面（着用時に着用者の肌側とは反対側に向く面）に、ファスニングテープ５を止着するランディングゾーン６が設けられている。
ファスニングテープ５は、背側部Ｂの両側縁部それぞれに、２本ずつ設けられている。
【００１１】
各ファスニングテープ５は、図１及び図３に示すように、第１止着部５１及び第２止着部５２を有するテープ基材５３を、背側部Ｂの幅方向の両側部に存するサイドフラップ部１１に固定することにより設けられている。サイドフラップ部１１は、吸収体４の両側縁よりもおむつ幅方向外方に延出する部分であり、立体ギャザー７形成用のシートと裏面シート３との積層体からなる。
【００１２】
テープ基材５３は、短冊状であり、第１止着部５１は、テープ基材の長手方向に沿ってみたときに、テープ基材５３の長手方向の一端部５３ａ近傍に設けられている。他方、第２止着部５２は、テープ基材５３における、第１止着部が設けられた部位よりも、テープ基材５３の長手方向の他端部５３ｂ側に設けられている。
【００１３】
おむつ１の使用前におけるファスニングテープ５は、図３（ａ）に示すように、第１止着部５１よりも第２止着部５２の方がテープ固定端５８からの距離が遠くなるように折り畳まれている。より具体的には、第１止着部５１よりも第２止着部５２の方がおむつの幅方向中央側に位置するように折り畳まれている。そして、その折り畳み状態が、折り畳まれたテープ基材の相対向する面間に配された仮止め手段としての粘着剤５４，５５によって維持されている。図３（ａ）は、その折り畳み状態を維持したまま、ファスニングテープ５をランディングゾーン６に止着した状態を示している。ファスニングテープ５が、第１止着部５１よりも第２止着部５２の方がテープ固定端５８からの距離が遠くなるように折り畳まれている状態の他の例としては、ファスニングテープ５が、テープ固定端５８でサイドフラップ部１１の肌当接面側に折り返され、その折り返された部分が、第１及び第２止着部５１，５２を介してサイドフラップ部１１の肌当接面に止着されており、テープ固定端５８から距離が第１止着部５１よりも第２止着部５２の方が大きい状態を挙げることができる。
【００１４】
おむつ１の使用前におけるファスニングテープ５の折り畳み状態について、テープ基材の長手方向に沿って説明すると、ファスニングテープ５は、第１止着部５１が設けられた部位と第２止着部５２が設けられた部位との間に第１の折り曲げ部５６を有しており、第２止着部５２が設けられた部位とテープ固定端５８との間に第２の折り曲げ部５７を有している。
また、ファスニングテープ５は、第１止着部５１が設けられた部位における、第１止着部５１が設けられた面側とは反対側の面に粘着剤５４が塗工されており、第２止着部５２が設けられた部位における、第２止着部５２が設けられた面側とは反対側の面に粘着剤５５が塗工されている。
第１止着部５１が設けられた部位及び第２止着部５２が設けられた部位は、それぞれ、粘着剤を介して、折り曲げにより生じた対向面に仮止めされている。仮止め手段として粘着剤を用いる場合、その対向面には、剥離処理が施されていることが好ましい。
【００１５】
胴回り周長を増減幅を十分に確保する観点から、ファスニングテープ５は、テープ基材５３に沿って測定したときに、第１止着部５１からテープ固定端（フラップ１１との境界部）５８までの距離が０〜５ｃｍ、特に０〜１ｃｍであることが好ましく、第２止着部５２及び／又は第２の折り曲げ部５７からテープ固定端５８までの距離が４〜１６ｃｍ、特に４〜６ｃｍであることが好ましく、両者の差（前者−後者）は０〜５ｃｍ、特に０〜１ｃｍであることが好ましい。
【００１６】
また、同様にして測定した、第１折り曲げ部５６と第２折り曲げ部５７との間の距離は４〜１１ｃｍ、特に８〜９ｃｍであることが好ましく、第１止着部５１と第２止着部５２との間の距離は０〜５ｃｍ、特に０〜１ｃｍであることが好ましい。
【００１７】
第１実施形態のおむつ１を着用者に装着する際には、図２（ａ）及び図３（ａ）に示すように、ファスニングテープ５の折り畳み状態を維持したまま、各ファスニングテープ５を、ランディングゾーン６の所望の箇所に止着する。これにより、第１止着部５１及び第２止着部５２の両者がランディングゾーン６に止着される。
図２（ａ）は、おむつを着用者に装着固定した状態を示す図であり、おむつ１は、ファスニングテープ５を所望の箇所に止着することで、従来の展開型おむつと同様に、着用者の胴回りに良好にフィットさせることができる。着用者は、この状態において、通常の展開型おむつを装着した場合と同様に行動することができる。
【００１８】
排尿及び／又は排便時には、図２（ｂ）及び図３（ｂ）に示すように、ランディングゾーン６に対する第１止着部５１の止着状態を維持したまま、第２止着部５２をランディングゾーン６から引き剥がす。本おむつ１においては、この引き剥がしを容易にするべく、第２止着部５２の近傍に、矩形状の摘み片の一端部を固定することにより、テープ基材５３から突出する摘み部５９が設けられており、該摘み部５９を引っ張る操作のみで、第２止着部５２の引き剥がし及び粘着剤５４，５５による仮止めの解除を行うことができる。
【００１９】
第２止着部５２の引き剥がしにより、第１止着部５１とテープ固定端５８との間の距離Ｌ〔着用者の胴回りに沿って測定した距離、直線距離にほぼ同じ、図３（ａ）及び図３（ｂ）参照〕が増大して、胴回り周長、即ち、着用者の胴部の周囲に配される部分の周方向の長さが増大するとともに、サイドフラップ部１１に加わっていたテンションが低下する。これにより、図３（ｂ）に示すように、着用者とおむつとの間にゆとり（隙間）が生じ、おむつ１の装着状態を維持しつつ、おむつ１をずり下げて排尿及び／又は排便を行うことができる。おむつの装着状態とは、少なくとも第１止着部５１がランディングゾーンに止着されている状態である。
【００２０】
排尿及び／又は排便後には、おむつ１を引き上げて、第２止着部５２を図３（ａ）に示すように元の位置に止着する。これにより、第２止着部５２を引き剥がす前と同様に、おむつ１を、着用者の胴回りに良好にフィットさせることができる。本実施形態のおむつ１は、このような第２止着部５２の引き剥がしによるおむつのずり下げ及び第２止着部５２の再止着によるおむつの固定を繰り返し行うことができる。
【００２１】
本実施形態のおむつ１においては、第２止着部５２の再止着の際に、粘着剤５４，５５による再度の接着が生じ、ファスニングテープの折り畳んだ状態が、これらの粘着剤５４，５５により再び安定に維持される。
【００２２】
第２止着部５２を止着した状態（テープの折り畳み状態）から、第２止着部５２を引き剥がしてテープを延ばした状態にすることで、テープ第１止着部５１とテープ固定端５８との間の着用者の胴回りに沿う距離Ｌは４〜１５ｃｍ、特に５〜１０ｃｍ拡大することが好ましく、胴回り周長は、その２倍量拡大することが好ましい。
【００２３】
本発明のおむつは、ファスニングテープの操作により、胴回り周長、即ち、着用者の胴部の周囲に配される部分の周方向の長さ増減可能であるが、ここでいう胴部とは、着用者の頭部と脚部との間の部位を意味する。
本実施形態のおむつ１は、おむつ長手方向の異なる位置に複数のファスニングテープが設けられており、背側部Ｂのウエスト縁端１３寄りに設けられたファスニングテープの操作により、ウエスト部（腰部）回りの周長を増減可能であると共に、股下部Ａ寄りに設けられたファスニングテープの操作により、下腹部ないしヒップ回りの周長を増減可能である。
【００２４】
背側部Ｂのウエスト縁端１３寄りに設けられたファスニングテープは、該ウエスト縁端１３から、テープ固定端５８におけるファスニングテープのおむつ長手方向中心（テープの幅を２等分する中心）までの距離が０．１〜７ｃｍ、特に０．１５〜５ｃｍであることが、ウェスト縁端１３部のめくれや折れがなく、かつウェスト部に良好なフィット感を与える点から好ましい。
股下部Ａ寄りに設けられたファスニングテープは、同様の距離が８〜２０ｃｍ、特に１０〜１５ｃｍであることが、装着時のフィット感さらには第２止着部をはずした後の上げ下ろしのし易さの点から好ましい。
【００２５】
使い捨ておむつ１における各部の形成材料について説明する。
表面シート２、裏面シート３、吸収体４、及び立体ギャザー形成用のシート、ランディングゾーン６形成用のランディングテープ等の形成材料としては、従来のおむつに用いられている各種公知の材料を特に制限なく用いることができる。ランディングゾーン６は、裏面シート３の非肌対向面側の表面を、係合性に富む素材（例えばスパンボンド不織布、エアスルー不織布等）により形成し、その一部をランディングゾーン６として利用することもできる。
【００２６】
第１止着部５１及び第２止着部５２は、それぞれ、例えば、基材テープ５３に、機械的面ファスナーのオス部材を、接着剤等公知の接合手段で固定することにより形成することができる。
機械的面ファスナーのオス部材は、その表面に突起状の係合部材が多数配されたシート状の部材である。機械的面ファスナーのオス部材としては、各種公知のものを特に制限なく用いることができ、例えば「マジックテープ」（登録商標・クラレ社製）、「クイックロン」（登録商標・ＹＫＫ社製）、「マジクロス」（登録商標・カネボウベルタッチ社製）等を用いることができる。オス部材の突起状の係合部材としては、その形状が、錨形や鉤形、キノコ形等のものを挙げることができる。ランディングテープは、このような突起状の係合部材が機械的に係合可能な多数のループ部を有するものを好ましく用いることができる。
【００２７】
テープ基材５３の形成材料としては、ポリエチレン製などのプラスチック製フィルム基材等を挙げることができる。
【００２８】
仮止め手段としての粘着剤５４，５５としては、各種公知の粘着剤を用いることができる。また、テープ基材の材料自体が粘着性を有する場合には、その粘着性を仮止め手段として用いることもできる。
【００２９】
次に、本発明の第２実施形態としての使い捨ておむつについて説明する。
第２実施形態のおむつは、ファスニングテープの構成が異なる以外は、上述したおむつ１と同じ構成を有する。従って、以下においては、主として相違点について説明し、同様の点については同一の符号を付して省略する。特に説明しない点については、上述したおむつ１と同様であり、上述した説明が適宜適用される。
【００３０】
第２実施形態のおむつにおけるファスニングテープ５’は、第２止着部５２が設けられた部位が、テープ基材５３の他の部位に重なるように折り畳まれており、その折り畳み状態が、テープ５’に設けられた被止着部５４’に対する第２止着部５２の止着及び仮止め手段としての粘着剤５５’によって維持されている。被止着部５４’は、テープ基材５３における、第１止着部５１が設けられた面とは反対側の面に、ランディングゾーン６形成用のランディングテープと同様の材料を固定することにより形成することができる。図４（ａ）は、その折り畳み状態を維持したまま、ファスニングテープ５’をランディングゾーン６に止着した状態を示している。
【００３１】
第２実施形態のおむつを装着する際には、図４（ａ）に示すように、ファスニングテープ５’の折り畳み状態を維持したまま、各ファスニングテープ５’を、ランディングゾーン６に所望の部位に止着する。これにより、第１止着部５１がランディングゾーン６に止着される。
【００３２】
排尿及び／又は排便時には、図２（ｂ）及び図４（ｂ）に示すように、ランディングゾーン６に対する第１止着部５１の止着状態を維持したまま、第２止着部５２を被止着部５４’から引き剥がす。本実施形態においては、摘み部５９を引っ張る操作のみで、第２止着部５２の引き剥がし及び粘着剤５５’による仮止めの解除を行うことができる。
【００３３】
第２実施形態のおむつも、第２止着部５２を被止着部５４’に対して脱着することにより、第１止着部５１をランディングゾーン６に止着した状態下に、胴回り周長を増減可能であり、そのため、第１実施形態と同様の作用効果が奏される。
【００３４】
以上、本発明の好ましい実施形態について説明したが、本発明は、上述した実施形態に制限されず、本発明の趣旨を逸脱しない範囲で種々変更が可能である。
例えば、ファスニングテープ５は、背側部Ｂの両側縁部それぞれに１本設けられていても良く、背側部Ｂの両側縁部それぞれに３本以上設けられていても良い。ファスニングテープ５が、各両側縁部に複数本づつ配されている場合、その総てが、胴回り周長を増減可能なものであることが好ましいが、その一部に、そのような増減調節ができないものを併用することもできる。
第１及び／又は第２止着部は、機械的面ファスナーのオス部材からなるものに代えて、テープ基材７１に粘着剤等を塗布して形成した粘着部であっても良い。また、仮止め手段は省略することができ、また、仮止め手段として、粘着剤に代えて、再接着不可能な接着剤等を用いることもできる。
【図面の簡単な説明】
【００３５】
【図１】図１は、本発明の一実施形態としての使い捨ておむつを示す斜視図である。
【図２】図２は、図１に示すおむつを着用者に装着した状態を示す図であり、図２（ａ）は、第１及び第２止着部を止着して、おむつを胴回りにフィットさせた状態を示し、図２（ｂ）は、第１止着部を止着した状態下に第２止着部を引き剥がして、胴回り周長を拡大した状態を示し、図２（ｃ）は、第１止着部を止着した状態下に、おむつを引き下ろす様子を示す。
【図３】図３は、図１に示すおむつにおけるファスニングテープの詳細を示す断面図であり、図３（ａ）は、第１及び第２止着部を共にランディングゾーンに止着した状態を示し、図３（ｂ）は、第１止着部を止着した状態下に第２止着部を引き剥がして、胴回り周長を拡大した状態を示す図である。
【図４】図４は、本発明の他の実施形態のおむつにおけるファスニングテープの詳細を示す断面図であり、図４（ａ）は、第１止着部をランディングゾーンに止着すると共に第２止着部を被止着部に止着した状態を示し、図４（ｂ）は、第１止着部の止着した状態下に第２止着部を引き剥がして、胴回り周長を拡大した状態を示す図である。
【符号の説明】
【００３６】
１    使い捨ておむつ
２    表面シート
３    裏面シート
４    吸収体
５    ファスニングテープ
５１  第１止着部
５２  第２止着部
５３  テープ基材
５４，５５，５５’  粘着剤（仮止め手段）
５４’  被止着部
６    ランディングゾーン
【図１】
2005253487.tif 000003
【図２】
2005253487.tif 000004
【図３】
2005253487.tif 000005
【図４】
2005253487.tif 000006